(57)【要約】【課題】筐体端部付近にアンテナと発光部を備える携帯無線機において、発光部の配置に工夫を施し、発光部からの光をアンテナを越えて筐体端部まで導く導光部材をシンプルな形状として、導光機能を確保する。【解決手段】筐体１の端部内に横にして配置したアンテナ７と、筐体１内に配置した基板１３上に固定されたシールドケース１４上に配置した発光部８と、この発光部８からの発光を、アンテナ７を越えて筐体１端部まで略直線的に導く導光部材９と、を備える。具体的には、表示部筐体（２）とヒンジ部（３）で折り畳み自在に結合される操作部筐体１のヒンジ部（３）と反対側端部にアンテナ７、発光部８及び導光部材９が内蔵され、発光部８は、シールドケース１４上に配置したキー基板１５上に搭載されている。さらに、導光部材９の周囲に被覆され、外面を遮光面（１９ａ）として、内面を光反射・拡散面（１９ｂ）とした遮光テープ１９を備える。【選択図】図４
2008160511.tif 000002
【特許請求の範囲】
【請求項１】
筐体の端部内に横にして配置したアンテナと、
筐体内に配置した基板上に固定されたシールドケース上に配置した発光部と、
この発光部からの発光を、前記アンテナを越えて前記筐体端部まで略直線的に導く導光部材と、を備えることを特徴とする携帯無線機。
【請求項２】
操作部筐体と表示部筐体とがヒンジ部で折り畳み自在に結合された携帯無線機であって、
操作部筐体のヒンジ部と反対側端部に前記アンテナ、発光部及び導光部材が内蔵され、
前記発光部は、前記シールドケース上に配置したキー基板上に搭載されていることを特徴とする請求項１に記載の携帯無線機。
【請求項３】
前記導光部材の周囲に被覆され、外面を遮光面として、内面を光反射・拡散面とした遮光テープを備えることを特徴とする請求項１または２に記載の携帯無線機。
【発明の詳細な説明】
【技術分野】
【０００１】
本発明は、筐体端部付近にアンテナと発光部を備える携帯無線機に関する。
【背景技術】
【０００２】
携帯端末機において、アンテナ付近に電子部品を配置するとアンテナ性能に影響を与えるため、例えば着信時や充電時に報知するための発光部をアンテナ付近に配置することは難しい。なお、折り畳み式携帯端末機において、操作部筐体のアンテナと反対側の端部であって、折り畳み状態でも表示部筐体に覆われない領域に、操作部筐体内の発光部からの光を導く導光板を配置したものが特許文献１に開示されている。また、筐体の端部にアンテナを横にして内蔵したものが特許文献２に開示されている。
【特許文献１】特開２００２−１１１８１２号公報
【特許文献２】特開２００６−４１８４０号公報
【発明の開示】
【発明が解決しようとする課題】
【０００３】
例えば筐体端部にアンテナを横にして内蔵したものにおいて、アンテナ性能への影響を回避すべく距離を隔てて基板に実装される発光部からの光をアンテナ側の筐体端部に導こうとすることが考えられる。その場合、導光部材は、基板上の発光部からアンテナを乗り越えて筐体端部まで伸びる複雑な三次元形状のものとなってしまい、十分な導光機能が得られなくなってしまう心配もある。
【０００４】
本発明の課題は、筐体端部付近にアンテナと発光部を備える携帯無線機において、発光部の配置に工夫を施し、発光部からの光をアンテナを越えて筐体端部まで導く導光部材をシンプルな形状として、導光機能を確保することである。
【課題を解決するための手段】
【０００５】
以上の課題を解決するため、請求項１に記載の発明は、筐体の端部内に横にして配置したアンテナと、筐体内に配置した基板上に固定されたシールドケース上に配置した発光部と、この発光部からの発光を、前記アンテナを越えて前記筐体端部まで略直線的に導く導光部材と、を備える携帯無線機を特徴とする。
【０００６】
請求項２に記載の発明は、請求項１に記載の携帯無線機であって、操作部筐体と表示部筐体とがヒンジ部で折り畳み自在に結合され、操作部筐体のヒンジ部と反対側端部に前記アンテナ、発光部及び導光部材が内蔵され、前記発光部は、前記シールドケース上に配置したキー基板上に搭載されていることを特徴とする。
【０００７】
請求項３に記載の発明は、請求項１または２に記載の携帯無線機であって、前記導光部材の周囲に被覆され、外面を遮光面として、内面を光反射・拡散面とした遮光テープを備えることを特徴とする。
【発明の効果】
【０００８】
本発明によれば、発光部からの発光を、アンテナを越えて筐体端部まで導く導光部材をシンプルな略直線的形状として、導光機能を確保できる。
【発明を実施するための最良の形態】
【０００９】
以下、図を参照して本発明を実施するための最良の形態を詳細に説明する。
図１は本発明を適用した携帯無線機の一実施形態の構成として携帯電話機の折り畳み状態を示したもので、操作部筐体１と表示部筐体２をヒンジ部３で結合した折り畳み式携帯電話機において、操作部筐体１のヒンジ部３と反対側端部の中央に着信時や充電時に報知するための発光報知部４が設けられている。
【００１０】
図２は操作部筐体１の平面図で、５は各種操作キーによる操作部、６はガタ押え部材である。ガタ押え部材６は、携帯電話機の図１に示した折り畳み状態において、操作部筐体１から幅方向にわたって突出状態で表示部筐体２に当接して、表示部筐体２のヒンジ部３と反対側端部付近のガタツキを押える。
【００１１】
図３は図２の矢印Ａ−Ａ線に沿った中央縦断面図で、操作部筐体１のヒンジ部３と反対側端部内には、送受話するために所定の周波数帯の電波を送受信する板状のアンテナ７がその板面を横にして配置されている。操作部筐体１の内部には、アンテナ性能への影響を回避すべくアンテナ７と距離を隔てて着信・充電報知用の発光部をなすＬＥＤ８が配置されるとともに、このＬＥＤ８からの発光を、アンテナ７を越えて筐体端部まで導く略直線的形状の導光部材９が配置されている。この導光部材９の先端部が発光報知部４として機能している。
【００１２】
操作部筐体１は、下ケース１１及び上ケース１２を合体して構成され、下ケース１１の内部には、メイン基板１３と、このメイン基板１３上に搭載された各種電子部品及び電子回路の全周囲を覆うシールドケース１４が固定されている。そして、シールドケース１４上にフレキシブルキー基板１５が重ねられており、このフレキシブルキー基板１５の端部中央に前記ＬＥＤ８が実装されている。
【００１３】
図４は図３のアンテナ７側端部付近を拡大して示している。導光部材９は入射側の厚みを厚くして入射光が多くなるよう透明樹脂製で板状に形成されたもので、その中間には凹段部９ｂが設けられ、また、先端部の厚みを厚くして形成した発光報知部４が、上ケース１２の端部に結合した端部カバー１６の中央部に形成された端面及び上面にかけてのスリットから外部に露出している。そして、導光部材９の周囲には遮光テープ１９が被覆されている。なお、ガタ押え部材６は、上ケース１２の端部カバー１６に沿った端部に形成した幅方向にわたる切欠内に配置されている。
【００１４】
図５は導光部材９及び遮光テープ１９を拡大して示した分解斜視図で、略平板状の導光部材９には、発光報知部４と反対側端部の中央にＬＥＤ８からの入光部９ａが突状に形成されるとともに、下面にアンテナ７を避ける凹段部９ｂが形成されている。そして、遮光テープ１９は、外面を黒色面による遮光面１９ａとして、内面を白色面による光反射・拡散面１９ｂとしたもので、板状の導光部材９の周囲に接着して被覆されている。
【００１５】
以上のように、折り畳み式携帯電話機において、操作部筐体１のヒンジ部３と反対側端部中央の端面及び上面にかけて露出した発光報知部４が発光することで、図１に示す折り畳み状態や開いた状態でも、着信があったことや充電中であることを視認できる。
【００１６】
しかも、その操作部筐体１端部中央の発光報知部４の発光は、図４に拡大して示したように、メイン基板１３上のシールドケース１４上のフレキシブルキー基板１５に搭載したＬＥＤ８の発光を、凹段部９ｂによりアンテナ７を避けた略直線的形状の導光部材９を通してその先端部の厚みを厚くて形成した発光報知部４を照光することで行われる。従って、操作部筐体１のヒンジ部３と反対側端部内に板面を横にして配置したアンテナ７に対し、そのアンテナ性能に影響を与えないよう距離を隔ててＬＥＤ８を配置した構造にしても、操作部筐体１のアンテナ７が横にして内蔵された端部において着信時・充電中の発光報知が行える。
【００１７】
そして、導光部材９に被覆した、外面を遮光面１９ａとして、内面を光反射・拡散面１９ｂとした遮光テープ１９によって、導光部材９の導光機能を高めて、その先端部の厚みを厚くして形成した発光報知部４の照光性能を更に高めることができる。
【００１８】
なお、以上の実施形態においては、折り畳み式携帯電話機としたが、本発明はこれに限定されるものではなく、他の携帯電話機やＰＤＡ、カメラ、パソコン、その他の携帯端末機などの携帯無線機であっても良い。
また、実施形態では、発光部をＬＥＤとしたが、他の発光素子を用いても良い。
また、携帯無線機は折り畳み式の他に、一体形状のもの、操作部筐体と表示部筐体とが相対的にスライドするスライド式のものであってもよい。
また、アンテナはＧＰＳ（Global Positioning System）の電波を受信するものであってもよい。
さらに、導光部材の形状等も任意であり、その他、具体的な細部構造等についても適宜に変更可能であることは勿論である。
【図面の簡単な説明】
【００１９】
【図１】本発明を適用した携帯無線機の一実施形態の構成を示すもので、携帯電話機の折り畳み状態を示した斜視図である。
【図２】図１の操作部筐体の平面図である。
【図３】図２の矢印Ａ−Ａ線に沿った中央縦断面図である。
【図４】図３のアンテナ側端部付近の拡大図である。
【図５】図４の導光部材及び遮光テープの拡大分解斜視図である。
【符号の説明】
【００２０】
１  操作部筐体
２  表示部筐体
３  ヒンジ部
４  発光報知部
５  操作部
７  アンテナ
８  発光部
９  導光部材
１１  下ケース
１２  上ケース
１３  メイン基板
１４  シールドケース
１５  キー基板
１６  端部カバー
１９  遮光テープ
１９ａ  遮光面
１９ｂ  光反射・拡散面
【図１】
2008160511.tif 000003
【図２】
2008160511.tif 000004
【図３】
2008160511.tif 000005
【図４】
2008160511.tif 000006
【図５】
2008160511.tif 000007